(57)【要約】【課題】基地局にフィードバックする周波数チャネルの品質情報量を削減しつつ効率的なスケジューリングを行う。【解決手段】本発明の一態様としての無線端末は、下り通信用の周波数チャネルの割当てを受けて基地局と無線通信する無線端末であって、前記基地局から前記複数の周波数チャネルの信号を受信する受信手段と、各前記周波数チャネルの通信品質を測定する品質測定手段と、測定された各前記周波数チャネルの通信品質に基づき各前記周波数チャネルに優先度を設定する優先度設定手段と、優先度の高い順に前記周波数チャネルの通信品質を表す通信品質情報を前記基地局に送信する送信手段と、前記基地局から前記通信品質情報の送信休止を指示する送信休止命令の通知を受けたら、前記通信品質情報の送信を休止することを指示する信号を前記送信手段に出力する制御手段と、を備える。【選択図】図７
2007274159.tif 000002
【特許請求の範囲】
【請求項１】
複数の周波数チャネルを用いて基地局から各無線端末への下り通信を行う無線通信方法であって、
各前記無線端末の各々において前記基地局からの前記複数の周波数チャネルの信号を受信し、
前記複数の周波数チャネルの通信品質を測定し、
測定された前記複数の周波数チャネルの通信品質に基づき各前記周波数チャネルに優先度を設定し、
優先度の高い順に前記周波数チャネルの通信品質を表す通信品質情報を前記基地局に送信し、
各前記無線端末の各々から順次送られてくる前記通信品質情報を前記基地局において受信し、
各前記無線端末から受信した通信品質情報に基づき、各前記無線端末に割り当てる周波数チャネルをスケジューリングし、
前記スケジューリングが完了した無線端末に対し前記通信品質情報の送信休止を指示する送信休止命令を通知し、
前記無線端末において前記送信休止命令の通知を受けとったら、前記基地局への前記通信品質情報の送信を休止する、
ことを特徴とする無線通信方法。
【請求項２】
下り通信用の周波数チャネルの割当てを受けて基地局と無線通信を行う無線端末であって、
前記基地局から複数の周波数チャネルの信号を受信する受信手段と、
各前記周波数チャネルの通信品質を測定する品質測定手段と、
各前記周波数チャネルに優先度を設定する優先度設定手段と、
優先度の高い順に前記周波数チャネルの通信品質を表す通信品質情報を前記基地局に送信する送信手段と、
前記基地局から前記通信品質情報の送信休止を指示する送信休止命令の通知を受けたら、前記通信品質情報の送信を休止することを指示する信号を前記送信手段に出力する制御手段と、
を備えた無線端末。
【請求項３】
前記優先度設定手段は、前記品質測定手段により測定された各前記周波数チャネルの通信品質に基づき各周波数チャネルの優先度を決定することを特徴とする請求項２に記載の無線端末。
【請求項４】
前記送信手段は、送信開始時刻になったら前記通信品質情報の送信を開始することを特徴とする請求項２に記載の無線端末。
【請求項５】
前記送信手段は、前記周波数チャネルの通信品質情報を前記周波数チャネルの優先度を表す情報を含めて送信することを特徴とする請求項２に記載の無線端末。
【請求項６】
前記送信手段は、優先度の高い上位X個の周波数チャネル以外の周波数チャネルにおいて、Y個の周波数チャネルの通信品質を平均化した平均通信品質を表す情報を、前記Y個の周波数チャネルの通信品質情報として送信することを特徴とする請求項２に記載の無線端末。
【請求項７】
前記優先度設定手段は、一番最近使用した周波数チャネルの優先度を最も高く設定することを特徴とする請求項２に記載の無線端末。
【請求項８】
複数の周波数チャネルを用いて通信エリア内の各無線端末と下り通信を行う基地局であって、
前記通信エリア内の前記無線端末の各々から順次送られてくる各前記周波数チャネルの通信品質を表す通信品質情報を受信する受信手段と、
各前記無線端末から受信した通信品質情報に基づき、各前記無線端末に割り当てる周波数チャネルをスケジューリングするスケジューリング手段と、
前記スケジューリングが完了した無線端末に対し前記通信品質情報の送信休止を指示する送信休止命令を通知する通知手段と、
を備えた基地局。
【請求項９】
前記受信手段は、優先度が設定された前記通信品質情報を受信し、
前記スケジューリング手段は、２つ以上の前記無線端末間で１つの周波数チャネルに対する競合が発生した場合は、該周波数チャネルに対して最も高い優先度を設定した無線端末に前記周波数チャネルを割り当てることを特徴とする請求項８に記載の基地局。
【請求項１０】
前記スケジューリング手段は、前記無線端末から通信品質情報を受信した周波数チャネルのうち最も通信品質の良い周波数チャネルを前記無線端末に割り当てることを特徴とする請求項８に記載の基地局。
【請求項１１】
前記スケジューリング手段は、ラウンドロビンスケジュール方式を用いて前記スケジューリングを行うことを特徴とする請求項１０に記載の基地局。
【発明の詳細な説明】
【技術分野】
【０００１】
本発明は、基地局、無線端末および無線通信方法に関する。
【背景技術】
【０００２】
近年、OFDM（Orthogonal Frequency Division Multiplexing：直交周波数分割多重）通信方式やマルチキャリアCDMA(Code Division Multiple Access：符号分割多重アクセス)通信方式など、ディジタル信号を複数のサブキャリアへマッピングして広帯域化した送受信を行う通信方式が注目を集めている。これらの通信方式によれば、伝送速度の高速化や周波数選択性フェージングに対する耐性向上を図ることができる。一方、複数のサブキャリアをグループ化したサブバンド（周波数チャネル）を用意し、各サブバンドを用いて同時に複数の端末と通信を行うことを可能としたOFDMA（Orthogonal Frequency Division Multiple Access：直交周波数分割多重アクセス）通信も知られている。OFDMA通信では、複数の通信相手との間の伝送路の周波数特性が異なることを利用して、通信相手ごとに通信品質の良好なサブバンドを選択的に割り当てることにより、通信速度の向上を図る方法も知られている。通信相手ごとに通信品質の良好なサブバンドを割り当てるためには、基地局が伝送路の周波数特性をサブバンドごとに得る必要がある。特開2005-244958公報には、端末がサブバンドの通信品質を測定し、伝送路状態が良好なサブバンド（周波数チャネル）の品質情報(CQI:Channel Quality Indicator)を基地局へフィードバックする方法が記載されている。
【特許文献１】特開2005-244958公報
【発明の開示】
【発明が解決しようとする課題】
【０００３】
しかしながら、特許文献１に記載の方法においては、端末は、伝送路状態が良好なサブバンドのCQIのみをフィードバックするため、もしこのサブバンドが他の端末に割り当てられてしまうと、その端末に対するサブバンドの割当てができなくなってしまう問題が生じる。
【０００４】
一方、すべてのサブバンドのCQIをフィードバックする方法も考えられるが、この方法を採用すると、端末から基地局へのフィードバック情報量が膨大となり、基地局への上りの伝送速度が低下してしまう問題がある。
【０００５】
本発明は、基地局にフィードバックする周波数チャネルの品質情報量を削減しつつ効率的なスケジューリングを行うことを可能にした無線端末、基地局および無線通信方法を提供する。
【課題を解決するための手段】
【０００６】
本発明の一態様としての無線端末は、下り通信用の周波数チャネルの割当てを受けて基地局と無線通信を行う無線端末であって、前記基地局から前記複数の周波数チャネルの信号を受信する受信手段と、各前記周波数チャネルの通信品質を測定する品質測定手段と、測定された各前記周波数チャネルの通信品質に基づき各前記周波数チャネルに優先度を設定する優先度設定手段と、優先度の高い順に前記周波数チャネルの通信品質を表す通信品質情報を前記基地局に送信する送信手段と、前記基地局から前記通信品質情報の送信休止を指示する送信休止命令の通知を受けたら、前記通信品質情報の送信を休止することを指示する信号を前記送信手段に出力する制御手段と、を備える。
【０００７】
本発明の一態様としての基地局は、複数の周波数チャネルを用いて通信エリア内の各無線端末と下り通信を行う基地局であって、前記通信エリア内の前記無線端末の各々から順次送られてくる各前記周波数チャネルの通信品質を表す通信品質情報を受信する受信手段と、各前記無線端末から受信した通信品質情報に基づき、各前記無線端末に割り当てる周波数チャネルをスケジューリングするスケジューリング手段と、前記スケジューリングが完了した無線端末に対し前記通信品質情報の送信休止を指示する送信休止命令を通知する通知手段と、を備える。
【０００８】
本発明の一態様としての無線通信方法は、複数の周波数チャネルを用いて基地局から各無線端末への下り通信を行う無線通信方法であって、各前記無線端末の各々において前記基地局からの前記複数の周波数チャネルの信号を受信し、前記複数の周波数チャネルの通信品質を測定し、測定された前記複数の周波数チャネルの通信品質に基づき各前記周波数チャネルに優先度を設定し、優先度の高い順に前記周波数チャネルの通信品質を表す通信品質情報を前記基地局に送信し、各前記無線端末の各々から順次送られてくる前記通信品質情報を前記基地局において受信し、各前記無線端末から受信した通信品質情報に基づき、各前記無線端末に割り当てる周波数チャネルをスケジューリングし、前記スケジューリングが完了した無線端末に対し前記通信品質情報の送信休止を指示する送信休止命令を通知し、前記無線端末において前記送信休止命令の通知を受けとったら、前記基地局への前記通信品質情報の送信を休止する、ことを特徴とする。
【発明の効果】
【０００９】
本発明により、基地局にフィードバックする周波数チャネルの品質情報量を削減しつつ効率的なスケジューリングを行うことができる。
【発明を実施するための最良の形態】
【００１０】
以下、図面を参照しながら本実施の形態について詳細に説明する。
【００１１】
（第１の実施の形態）
図１は、本実施の形態に係わる無線通信システムの一例を表す。この無線通信システムは、基地局３５と複数の無線端末（以下単に端末と称する）３１、３２、３３、３４とから構成される。端末３１、端末３２、端末３３、及び端末３４は、基地局３５からの無線信号が届く範囲、つまり通信エリア（セル）３８内に位置している。基地局３５から各端末３１〜３４への無線信号伝送を下りリンク３６とし、逆に各端末３１〜３４から基地局３５への無線信号伝送を上りリンク３７と呼ぶこととする。
【００１２】
下りリンク３６には、OFDM（Orthogonal Frequency Division Multiplexing：直交周波数分割多重）方式、あるいはマルチキャリアCDMA(Code Division Multiple Access：符号分割多重アクセス)方式といったマルチキャリア通信方式が用いられるものとする。マルチキャリア通信では、周波数軸上に並べられた複数のサブキャリアを利用して通信が行なわれる。以下ではマルチキャリア通信としてOFDM通信を想定する。図２にはOFDM通信を行う場合のサブキャリア配置が示される。OFDM通信ではサブキャリアを直交させて配置することにより、高い周波数利用効率が実現される。図２に示すように、サブキャリア群が分割されて複数のサブバンドが形成される。ここでは第１サブバンド〜第ｐサブバンドが形成される。各サブバンドは単一又は複数のサブキャリアからなる。第１サブバンド〜第ｐサブバンドに対して複数の端末、複数のユーザ、あるいは複数の回線が割り当てられる。ここでは１つのサブバンドは複数の隣接するサブキャリアから構成されるが、サブバンドを構成するサブキャリアは必ずしも隣接する必要はなく、離れた位置のサブキャリアの集合から１つのサブバンドを構成してもよい。
【００１３】
上りリンク３７にもOFDM、マルチキャリアCDMAといったマルチキャリア通信方式を用いることができる。あるいはFDMA （Frequency Division Multiple Access：周波数分割多元アクセス）通信を用いてもよい。図３はFDMA通信における周波数の利用状態を示した模式図である。複数ユーザ分のシングルキャリア（サブバンド）が周波数軸上に並べられている。すなわち、一人のユーザが１つのシングルキャリア（サブバンド）を用いる。なお、本実施の形態において、上りリンク３７では下りリンク３６と異なる周波数帯域を用いることとし、上りリンク３７と下りリンク３６は同時に通信可能であるとする。
【００１４】
図４は、基地局３５の構成例を示す。この基地局３５は、複数の送信データ生成部１０１、サブキャリアマッピング部１０２、逆FFT（Inverse Fast Fourier Transform：逆高速フーリエ変換）部１０３、DA（Digital-Analog）変換部１０４、送信アナログ部１０５、基地局送信アンテナ１０６、基地局受信アンテナ１０７、フィードバック情報受信部１０８、スケジューリング部１０９、CQI(Channel Quality Indicator)送信休止命令生成部１１０を備える。
【００１５】
各送信データ生成部１０１は、それぞれの端末宛の送信データを生成し、生成した送信データをサブキャリアマッピング部１０２に出力する。送信データ生成部１０１は同時に、予め端末と申し合わせた既知信号、つまりパイロット信号を生成し、生成したパイロット信号を送信データに付与する。このパイロット信号は、端末が伝送路推定を行うことの他、周波数同期、シンボル同期、あるいはフレーム同期を行うためにも用いられる。また、送信データ生成部１０１は、後述するCQI送信休止命令生成部１１０から渡されるCQI送信休止命令を送信データへ挿入する処理も行う。送信データ生成部１０１は、基地局１０５と通信中の端末の数だけ用意される。ただし、複数の端末へ同一のデータを送るマルチキャスト通信、あるいは全端末へ同一のデータを送るブロードキャスト通信用の送信データ生成部がさらに設けられてもよい。あるいは送信データ生成部１０１のいずれかかにマルチキャストまたはブロードキャスト通信用のデータを生成する機能を備えさせてもよい。
【００１６】
サブキャリアマッピング部１０２は、複数の送信データ生成部３０１から渡された、複数の送信データを変調方式に応じた信号点へ割り当てることにより変調信号を得る。送信データの変調には、BPSK（Binary Phase Shift Keying：二相位相シフトキーイング）、QPSK（Quadrature Phase Shift Keying：四相位相シフトキーイング）、8PSK、16PSK、ASK（Amplitude Shift Keying：振幅シフトキーイング）、FSK（Frequency Shift Keying：周波数シフトキーイング）、16QAM(Quadrature Amplitude Modulation：直交振幅変調)など、種々の変調方式を用いることができる。
【００１７】
サブキャリアマッピング部１０２は、取得した変調信号をOFDMサブキャリア群に割り当てる。一つの送信データ分の変調信号は一つまたは複数のサブバンド（複数のサブバンドは互いに隣接していてもしていなくてもよい）へ割り当てられる。すなわち一つの端末には１つまたは複数のサブバンドが割り当てられる。割当ての際、端末間でのサブバンドの重複は無いものとする。各送信データから得られた変調信号をそれぞれ割り当てるべきサブバンドは、後述するスケジューリング部３０９からの指示によって決められる。ここで、サブキャリアマッピング部３０２は各端末に割り当てられたサブバンドを表す情報をスケジューリング部３０９から受け取り、受け取った情報を変調し、変調信号を制御チャネル（特定のサブバンド）に割り当ててもよい。
【００１８】
ここで下りリンクの信号配置の一例を図１０に示す。ここではOFDMサブキャリア（３００個のサブキャリア）を２０個のサブバンドに分割して通信を行うOFDMA（Orthogonal Frequency Division Multiple Access：直交周波数分割多重アクセス）通信を想定している。１つのサブフレームは周波数軸方向に２０個のサブバンド（周波数チャネル）に分割されている。ここでは１つのサブフレームは７個のOFDMシンボルから構成されている。２０個のサブバンドのうち一部のサブバンドは制御チャネルとして用いられてもよい。複数のサブフレームにより１フレームが構成され、サブバンドの割り当てはフレーム境界で更新されるものとする。図中のハッチング部分はパイロット信号が割り当てられているとする。
【００１９】
図４において、逆FFT部１０３は、サブキャリアマッピング部１０２にて割り当てられた各サブキャリアの変調信号に対して、逆高速フーリエ変換を施して、送信ベースバンド信号を生成する。
【００２０】
DA変換部１０４は、生成された送信ベースバンド信号をアナログ信号に変換して送信アナログ部１０５に出力する。送信アナログ部１０５は、入力されたアナログ信号を無線周波数へアップコンバートして基地局送信アンテナ１０６を通じて空間に放射する。
【００２１】
基地局受信アンテナ１０７は、各端末から送られる複数の上りリンクの無線信号を受信する。フィードバック情報受信部１０８は、受信された無線信号をベースバンド信号にダウンコンバートし、生成されたベースバンド信号を復調および復号する。これにより、複数の上りリンクにより伝送された複数の受信データを得る。
【００２２】
スケジューリング部１０９は、複数の受信データの各々から、下りリンクの各サブバンドのCQIを抽出し、抽出した各サブバンドのCQIに基づき、各端末に割り当てるサブバンド（周波数チャネル）を決める。これはスケジューリングと称される。スケジューリングの方法としては、種々の方法を用いることができるが、ラウンドロビンスケジューリングが良く知られている。スケジューリング部１０９は、端末に割り当てるサブバンドを決定したら、その端末によるCQIの送信を休止させるため、その端末についてCQI送信休止命令を生成することをCQI送信休止命令生成部１１０に指示する。
【００２３】
ここでCQIの一例を図５に示す。CQIは、端末を特定するための端末ID、サブバンドを特定するサブバンド番号、そして該サブバンドの通信品質を示す通信品質値を含む。通信品質値は例えば該サブバンドの受信電力を指す。この他、通信品質値は、サブバンドの受信電力をクラス分けした際のクラス番号、あるいは当該サブバンドを利用して受信可能な変調方式や誤り訂正符号化率を示してもよい。仮に端末IDが8bit, サブバンド番号が5bit, 通信品質値が8bitと仮定すると、１つのCQIのビットサイズは21bitとなる。
【００２４】
CQI送信休止命令生成部１１０は、スケジュール部１０９からCQI送信休止命令を生成する旨の指示を受けたら、指示された端末についてCQI送信休止命令を生成する。そして、CQI送信休止命令生成部１１０は、生成したCQI送信休止命令を送信データに挿入することを送信データ生成部１０１に指示する。
【００２５】
ここで、スケジューリング部１０９は、各端末についてCQI（周波数チャネル（サブバンド）の品質情報)の送信を開始すべき時刻を表すCQI送信開始時刻を各端末に通知してもよい。この場合、スケジューリング部１０９は、CQI送信開始時刻を送信データに挿入することを送信データ生成部１０１またはサブキャリアマッピング部１０２へ指示する。CQI送信開始時刻は各端末とも同一であっても端末ごとに異なってもよい。
【００２６】
図６は、端末の構成例を示す。この端末は、端末受信アンテナ２０１、受信アナログ部２０２、AD（Analog-Digital）変換部２０３、FFT（Fast Fourier Transform：高速フーリエ変換）部２０４、サブキャリアデマッピング部２０５、伝送路推定部２０６、受信データ再生部２０７、サブバンド品質測定部２０８、CQI生成部２０９、優先度決定部２１０、フィードバック情報送信部２１１、フィードバック制御部２１２及び端末送信アンテナ２１３を備える。
【００２７】
端末受信アンテナ２０１は、基地局から送られる無線信号を受信し、受信した無線信号を受信アナログ部２０２に出力する。受信アナログ部２０２は、入力された無線信号をベースバンド信号にダウンコンバートしてAD変換部２０３に与える。AD変換部２０３は、受信アナログ部２０２から与えられるベースバンド信号をサンプリングによりディジタル信号へ変換し、そのディジタル信号をFFT部２０４へ与える。FFT部２０４は、ＡＤ変換部２０３から与えられるディジタル信号に対して、高速フーリエ変換（Fast Fourier Transform：FFT）を施して、各サブキャリアの受信信号を抽出する。FFT部２０４は、抽出した各サブキャリアの受信信号を伝送路推定部２０６とサブキャリアデマッピング部２０５とに出力する。
【００２８】
伝送路推定部２０６は、FFT部２０４から入力された各サブキャリアの受信信号に含まれる既知信号、即ちパイロット信号の周波数特性からサブキャリア毎の伝送路応答（振幅変動や位相変動など）を推定する。予め基地局と端末の間で取り決めておいたパイロット信号形状と、伝送路において歪みを受けて端末に到来したパイロット信号形状を比較することで、伝送路応答を求めることができる。伝送路推定部２０６は、推定したサブキャリア毎の伝送路応答（伝送路推定結果）を、サブキャリアデマッピング部２０５およびサブバンド品質測定部２０８に通知する。
【００２９】
サブキャリアデマッピング部２０５は、FFT部２０４から入力された各サブキャリアの受信信号に対して、伝送路推定部２０６から通知された各サブキャリアの伝送路応答の逆特性を乗じて、各サブキャリアの伝送路歪みを修正する。そして、サブキャリアデマッピング部２０５は、伝送路歪みが修正されたサブキャリア毎の受信信号を受信データ再生部２０７に与える。
【００３０】
受信データ再生部２０７は、サブキャリアデマッピングブ２０５から与えられた各サブキャリアの受信信号を復調および復号してサブバンドごとの受信データを得る。受信データ再生部２０７は、自端末に割り当てられたサブバンドの受信データを図示しないアプリケーションに渡す。受信データ再生部４０７は、自端末に割り当てられたサブバンドの情報を、例えば制御キャリアの受信データから抽出する。受信データ再生部４０７は、他端末に割り当てられたサブバンドについては復調および復号を行わなくてもよい。受信データ再生部４０７は、受信データに、CQI送信開始時刻またはCQI送信休止命令が記載されている場合は、これらの情報をフィードバック制御部２１２へ通知する。
【００３１】
サブバンド品質測定部２０８は、伝送路推定部４０６から通知された各サブバンドの伝送路応答を用いて、各サブバンドの受信電力値（例えばサブバンドに含まれる各サブキャリアの平均電力値）を求める。そして、サブバンド品質測定部４０８は、求めた各サブバンドの受信電力値をCQI生成部２０９へ出力する。
【００３２】
CQI生成部２０９は、サブバンド品質測定部２０８から入力された各サブバンドの受信電力値から、基地局へフィードバックするCQIを各サブバンドについて生成する。そして生成した各サブバンドのCQIを優先度決定部２１０へと渡す。ここで、伝送路推定部２０６が伝送路推定を行うサブバンド、サブバンド品質測定部２０８が通信品質を測定するサブバンド、及びCQI生成部２０９がCQIの生成対象とするサブバンドは、自端末向けに送信データがマッピングされたサブバンドだけでなく、他端末向けに送信データがマッピングされたサブバンドも含む。
【００３３】
優先度決定部２１０は、CQI生成部２０９が生成した複数のCQIに対して、順位付けを行なう。順位付けの方法としては例えば、基地局がスケジューリング方式として、ラウンドロビンスケジューリングを用いている場合は、受信電力値が大きい順とすることができる。優先度決定部２１０は、設定した順位を、そのCQIと共にフィードバック情報送信部２１１へ渡す。設定した順位をCQIの一部に含めてフィードバック情報送信部２１１へ渡してもよい。
【００３４】
フィードバック制御部２１２は、受信データ再生部２０７から渡されたCQIフィードバックに関する制御命令に基づいて、フィードバック情報送信部２１１を制御する。制御命令としては、例えばCQI送信開始時刻およびCQI送信休止命令がある。なお、CQI送信開始時刻はあらかじめフィードバック制御部２１２に設定しておくことも可能である。CQI送信開始時刻を渡された場合は、CQIフィードバックの開始時刻をフィードバック情報送信部２１１に通知する。CQI送信休止命令を渡された場合は、CQIフィードバックを休止すべき旨をフィードバック情報送信部２１１に通知する。またフィードバック制御部２１２はフィードバック情報送信部２１１に対して、一度にフィードバックするCQIの個数を指定してもよい。
【００３５】
フィードバック情報送信部２１１は、フィードバック制御部２１２からの制御に従い、CQIの送信、およびCQIの送信の休止を行う。より詳細には、フィードバック情報送信部２１１は、フィードバック制御部２１２からCQIフィードバックの開始を指示されたら、優先度決定部２１０から渡されたCQIを優先度の高い順に基地局に送信する。つまり、フィードバック情報送信部２１１は、優先度決定部２１０から渡されたCQIを変調し、変調信号をアップコンバートして無線信号を生成する。そして、フィードバック情報送信部２１１は、生成した無線信号を、端末送信アンテナ２１３を通じて基地局に送信する。一方、フィードバック情報送信部２１１は、フィードバック制御部２１２からCQIのフィードバックを休止すべき旨の指示を受けたら、全サブバンドのCQI送信を完了する前であっても、CQIの送信を休止する。
【００３６】
図７は、基地局および端末間で交換される情報の流れを説明するシーケンスチャートである。ここでは、説明の簡単のため、端末は１つのみ（端末３１）を図示する。
【００３７】
基地局３５が、下りリンクにおいてデータを送信し（６０１）、端末３１はこのデータを受信する。このデータには伝送路推定用のパイロット信号が付与されている。さらにデータには、端末がCQIフィードバックを開始すべき時刻であるCQI送信開始時刻が記されていてもよい。
【００３８】
端末３１は、基地局３５から受信したデータに基づき伝送路推定処理を行う（６０２）。そして、端末３１は、伝送路推定処理より得られた伝送路推定結果を用いてCQI優先度設定処理を行う（６０９）。すなわち、端末は、サブバンドごとにCQIを生成し、各サブバンドのCQIに順位付けを行う。順位付けは例えばサブバンドの受信電力値、または全てのサブバンドの受信電力値の平均に対する受信電力値の比、などを用いる。
【００３９】
端末３１は、優先度の高いN個のCQIのフィードバックを基地局３５に対し行なう（６１０（１））。一度にフィードバックするCQIの個数であるNは、システム上あらかじめ規定されていてもよいし、フィードバック制御部２１２においてフィードバックの都度、決定してもよい。また端末３１は、CQI送信開始時刻がデータに記載されていた場合は、そのCQI送信開始時刻に至ったらフィードバックを開始する。
【００４０】
端末３１は、一番優先度の高いN個のCQIのフィードバック（６１０（１））に続いて、次に優先度の高いN個のCQIのフィードバックを行う（６１０（２））。その後も、CQI送信休止命令が基地局３５から通知されない限り、端末３１は、優先度の順位を下げながら、CQIのフィードバックを継続する（６１０（３）参照）。
【００４１】
基地局３５は、端末３１からの受信データからCQIを抽出し、スケジューリング部１０９においてスケジューリングを行なう（６０５）。基地局３５は、スケジューリングをあらかじめ設定したスケジューリング開始時刻になったら開始する。スケジューリング方法としては上述したラウンドロビンスケジューリングなどが利用できる。
【００４２】
本実施の形態では、上記のようにCQIに記載された情報を用いてスケジューリングを行なうものとしているが、これに代えて、例えばフィードバックされたCQIの受信順序を用いてスケジューリングを行ってもよい。または、端末が設定したCQIの優先度を用いてスケジューリングを行ってもよい。この場合、端末はフィードバックするCQIに対し優先順位を含めるものとする。
【００４３】
図７では３回のスケジューリングにより端末３１に割り当てるサブバンドが確定したとする。サブバンドが確定した端末からのCQIはこれ以上必要ないことから、端末３１に対して基地局３５はCQI送信休止命令を送信する（６１１）。CQI送信休止命令は、単独で送信される必要はなく、他のデータと共に送信されてもよい。一般的にその方が、高い周波数利用効率を得られる。
【００４４】
端末３１は、CQI送信休止命令を受信したら、次のCQI送信開始時刻までの間、CQIのフィードバックを休止する。
【００４５】
基地局３５は、決定したサブバンドの割り当てに従って、端末３１へデータの送信を行なう（６０６）。
【００４６】
ここで、スケジューリング（６０５）の際、複数の端末間で競合が発生した場合（複数の端末が同一サブバンドのCQIをフィードバックした場合）、一部の端末に対してサブバンドを十分に割り当てることができない場合がある。その場合は、該一部の端末へのCQI送信休止命令の送信は見送られる。この結果、該一部の端末はCQIをフィードバックし続け、基地局３５はこのCQIを元にスケジューリングを継続する。スケジューリングは、全ての端末に対する割り当てが確定したら、あるいは、あらかじめ設定したスケジューリング期限が到来したら、終了する。
【００４７】
ここで、スケジューリング開始時刻からスケジューリング期限までの時間は、スケジューリングにかかる時間を考慮して設定されるものとする。例えば端末が多く存在し、端末間の競合が多く発生する場合には、長めの時間を設定するべきであり、逆に多くのサブバンドが用意され、競合の発生頻度が低い場合には、短い時間とすべきである。スケジューリング開始時刻およびスケジューリング期限は、周期的、あるいは任意の時刻とすることが出来る。また、上記CQI送信開始時刻と、スケジューリング開始時刻とは同時であることが望ましい。本実施の形態では上記CQI送信開始時刻と、スケジューリング開始時刻とは同じであるとする。
【００４８】
ここで基地局３５においてスケジューリング方法としてラウンドロビンスケジューリングを用いる場合のスケジューリングについて説明する。基地局３５は、各端末からフィードバックされたCQIに基づいて、通信品質が良好なサブバンドを、まずは一つずつ順番に各端末に割り当てる。ある端末へ既に割り当てられたサブバンドは、他の端末へは割り当てられない。割り当てが１周した後には、再度最初の端末から順に、２周目の割り当てを行う。このとき、既に要求した数分だけのサブバンドが確保された端末に対しては、サブバンドの割当ては行われない。また、端末が１回でフィードバックしたCQIでは該端末に対するサブバンドの割り当てが確定しない場合は、割り当て作業をいったん中断し、該端末から次に到来するCQIを待つ。
【００４９】
ここで従来のように、スケジューリング対象となる全てのサブバンドのCQIが揃ってからスケジューリングを行うと、各端末へほぼ公平な数のサブバンドを割り当てることが可能となる。しかしながら、サブバンド数が多い場合、膨大な量のCQIのフィードバックを待たなければならず、基地局の処理に遅延を生じるばかりではなく、全サブバンドのCQIを全端末分だけ記憶・管理するための膨大なメモリが必要となる。
【００５０】
これに対し、本実施の形態によれば、端末から通信品質が良好な順序でCQIがフィードバックされ、一部のサブバンドのCQIをもとにスケジューリングを開始するため、基地局は、膨大な量のCQIを保存する必要が無くなり、ハードウェア規模を小さくすることが可能となる。また、端末がCQIに優先度を記載してフィードバックし、基地局がCQIに記載された優先度を用いてスケジューリングする場合、スケジューリング処理を簡略化できる。すなわち、基地局は、単に優先度に基づきサブバンドの割当て処理（スケジューリング）を行えばよいため、該端末にとって最も良好なサブバンドを探す処理は不要となる。
【００５１】
また別の従来例のように、端末が一部のサブバンドのCQIのみをフィードバックする方法では、サブバンドを獲得できない端末が生じる恐れがある。しかし本実施の形態によれば、CQI送信休止命令を受信するまで端末は優先順位に従ってCQIをフィードバックし続けるため、基地局による継続的なスケジューリングが可能となり、サブバンドを獲得できない端末の数を大幅に減らすことが可能となる。
【００５２】
なお、本実施の形態では、サブバンドの割り当てが確定するまで端末から無条件にCQIがフィードバックし続けられるが、これに代えて以下のようにしてもよい。例えば、基地局は、最初のN個のCQIのフィードバックでは割り当てが確定しなかった場合のみ、その旨を端末へ通知し、端末はこれを受けて基地局へ次のN個のCQIをフィードバックする。
【００５３】
また、本実施の形態では、割り当てが確定した端末に対して、CQI送信休止命令を送信するため、冗長なCQIフィードバックを減らすことが可能となる。よって上りリンクの周波数利用効率を上げることが可能となる。以下具体例を用いてこれについてさらに詳細に説明する。端末は全てのサブバンドのCQIを一度にフィードバックするとする。また下りリンクでは、全1024サブキャリアを、16サブキャリアずつグルーピングして計64サブバンドが形成されているものとする。もしCQIが21bitであれば、全サブバンド分のCQIは合計1.3kbitと膨大な量となる。例えば30ユーザが同時にCQIをフィードバックすると、約40kbitが一度に上りリンクで送信されることとなる。CQIフィードバック周期を、比較的長めの10msecに設定したとしても、CQI送信のための伝送速度として4Mbpsもの速さが必要であることが判る。これに対し、本実施の形態では、仮に一度にフィードバックできるCQI数を4つに限定すると、瞬時のCQIフィードバック量は1/16の2.5kbitにまで抑えることができる。さらにサブバンドの割当てが確定した後はCQIのフィードバックは行わないため、上りリンクを効率的に使用することが可能となる。なお、サブバンドの割り当て処理やCQI送信休止命令の送受信処理にはそれ自体いくらかの時間を要するため、この処理の間、冗長なCQIフィードバックが行われる可能性もあるが、この量は僅かであると考えられるため問題は生じないと考えられる。
【００５４】
図８は、基地局３５による動作の流れを示すフローチャートである。
【００５５】
基地局３５は、フィードバック情報受信部１０８において、各端末からCQIを受信したかどうかを判断する（４０１）。各端末からCQIを受信していない場合には（４０１のNo）、基地局３５は、通常の送信処理を行う（４０２）。４０２の詳細は後述する。
【００５６】
もし各端末からCQIを受信した場合には（４０１のYes）、続いてスケジューリング部１０９が、各端末へのサブバンドの割り当てを決めるスケジューリングを行う（４０６）。前述したように本実施の形態ではスケジューリング開始時刻とCQI送信開始時刻とは同じであるとしている。ここで、複数の端末が同一サブバンドのCQIをフィードバックした場合、スケジューリング部１０９は、先に（時間的に早いサブフレームで）CQIをフィードバックした端末に対して該サブバンドを割り当てるものとする。また、複数の端末が同一サブバンドのCQIを同時に（同じサブフレームで）フィードバックした場合、CQIに優先度が記されていればスケジューリング部１０９は、最も高い優先度のCQIをフィードバックした端末へ該CQIに対応するサブバンドを割り当てるものとする。このようにすることで、１つのサブバンドに対し複数の端末が競合した場合でも問題は生じない。
【００５７】
スケジューリングにより割り当てが確定した端末が存在する場合には、CQI送信休止命令生成部１１０が、割当てが確定した端末に対してCQI送信休止命令を生成する（４０７）。なお、確定した割り当ての内容はスケジューリング部１０９内に記憶される。
【００５８】
次に、送信データ生成部１０１が、端末宛ての送信データを生成する（４０２）。送信データ生成部１０１は、CQI送信休止命令が生成された端末への送信データには、CQI送信休止命令を含める。送信データにはCQI送信開始時刻が含められてもよい。送信データ生成部１０１は、ブロードキャストデータ、マルチキャストデータを生成してもよい。
【００５９】
続いて、スケジューリング部１０９が、サブバンド割り当ての更新時刻になったかどうかを判定し（４０３）、この時刻になったら（４０３のYes）、スケジューリングの結果に基づき、サブバンドの割当てを更新する（４０８）。このようにサブバンドの割当て更新時刻になったらサブバンドの割当てを更新するのは、割り当てが未確定の端末がいる状態でサブバンド割り当てを変更することはあまり望ましくないためである。つまり、本実施の形態では、確定した割り当てを逐次端末に適用するようなことはせず、サブバンドの割り当て更新時刻になったら全端末の割り当てを一斉に更新する。もっとも、サブバンドの割当てが確定し次第すぐにサブバンドの割当てを更新してもよく、本発明は、サブバンドの割当ての更新時期については限定されない。
【００６０】
続いて、サブキャリアマッピング部１０２が、各端末宛の送信データを、各々のサブバンドへマッピングする（４０４）。送信データがマッピングされるサブバンドの数は１つとは限らず、端末に割り当てられたサブバンドが複数であれば、複数のサブバンドへマッピングしてもよい。また、未割り当ての空いているサブバンドが存在すれば、この空いているサブバンドを利用することも可能である。
【００６１】
この後、基地局３５は、逆FFT部１０３、DA変換部１０４、送信アナログ部１０５、及び基地局送信アンテナ１０６を用いて、OFDM変調されたデータを無線信号として送信する（４０５）。
【００６２】
以上のように、基地局は、端末から一部のCQIを受信し次第スケジューリングを開始することにより、スケジューリングのための待ち時間を抑えつつ、効率的なスケジューリングを行なうことができ、さらに受信したCQIを記憶するためのメモリを小さく抑えることができる。
【００６３】
図９は、端末による動作の流れを示すフローチャートである。
【００６４】
端末は、端末受信アンテナ２０１、受信アナログ部２０２、AD変換部２０３、FFT部２０４を用いて、下りリンクの無線信号の受信処理を行なって、無線信号から各サブキャリアの受信信号を抽出する（５０１）。
【００６５】
次に、抽出された各サブキャリアの受信信号のうち、パイロット信号を用いて、伝送路推定部２０６が、伝送路推定処理を行う（５０２）。
【００６６】
次に、受信データ再生部２０７が、サブキャリアデマッピング部２０５によって伝送路歪みが修正された各サブキャリアの受信信号を復調および復号してサブバンドごとの受信データを得る（５０３）。他端末に割り当てられたサブバンドについては復調および復号しなくてもよい。本処理では、受信データとして、ユニキャストデータ、マルチキャストデータ、あるいはブロードキャストデータが得られる。受信データに、CQI送信開始時刻またはCQI送信休止命令が含まれる場合、このCQI送信開始時刻またはCQI送信休止命令はフィードバック制御部２１２に渡される。
【００６７】
また、伝送路推定処理の後、CQI生成時刻（例えばCQI送信開始時刻の１サブフレーム前）になったか否かを伝送路推定部２０６が判断する（５０４）。ただし、毎回（サブフレーム毎）サブバンドの品質の測定を行う場合はCQI生成部２０９においてこの判断を行い、CQI生成時刻になった旨を伝送路推定部２０６に通知してもよい。また毎回CQIの生成および優先度の決定を行う場合は、フィードバック制御部２１２においてこの判断を行い、CQI生成時刻になった旨を伝送路推定部２０６に通知してもよい。
【００６８】
CQI生成時刻になった場合は（５０４のYes）、サブバンドの品質を測定するために、サブバンド品質測定部２０８が、伝送路推定結果を利用して各サブバンドの受信電力を求める（５０５）。ここではサブバンドの品質として受信電力を求めたが、他の指標、例えば信号電力対雑音電力比(SNR: Signal to Noise Ratio)などを求めてもよい。
【００６９】
次に、CQI生成部２０９が、各サブバンドの品質に基づき、各サブバンドについてCQIを生成する（５０６）。
【００７０】
次に、優先度決定部２１０が、各サブバンドのCQIに対し優先順位を付ける（５０７）。この優先順位は、基本的に端末が次回以降の通信で用いたいサブバンドの順である。通常、受信電力の高いサブバンドを獲得すると良好な通信品質を得られる可能性が高い。そこで受信電力の高い順にCQIに優先順位を付けるとする。
【００７１】
次に、フィードバック制御部２１２は、CQI送信開始時刻に達しているかどうかを判定し（５０８）、達している場合は（５０８のYes）、CQI送信休止命令を受け取ったかどうかを判定する（５０９）。CQI送信休止命令をまだ受け取っていない場合は（５０９のYes）、端末は、フィードバック情報送信部２１１及び端末送信アンテナ２１３を用いて、生成された未送信のCQIのうち、優先度が高いN個のCQIをフィードバックする（５１０）。端末はCQI休止命令が到来するまで所定の時間間隔でN個のCQIのフィードバックを継続する。
【００７２】
以上のように、端末が優先度の高いものから順にCQIを送信することにより、基地局側のCQI記憶用メモリを削減することができる。また、端末はCQI送信休止命令が到来した場合にはCQIのフィードバックを休止するため、冗長なCQIフィードバックによる上りリンクの伝送速度低下を抑えることができる。
【００７３】
（第２の実施の形態）
本実施の形態では、端末によりCQIのフィードバック、および基地局によるスケジューリングを詳細に説明する。
【００７４】
第１の実施の形態で説明したように図１０は、下りリンクのフレームフォーマットの一例を示す。１サブバンドは15サブキャリアから構成され、１サブフレームは７OFDMシンボルから構成される。全サブキャリア数は300サブキャリアであり、サブバンドは計20個となる。また、複数のサブフレームにより１フレームが構成され、サブバンドの割り当てはフレーム境界で更新されるものとする。また、端末が下りリンクにて必要なサブバンド数は４とする。図中のハッチング部分はパイロット信号が割り当てられているとする。
【００７５】
また、基地局３５は、端末３１、端末３２、及び端末３３と通信中であると仮定する。また、端末３１〜端末３３は、現在、CQI生成時刻として取り決められた第ｍサブフレームを受信中であると仮定する。したがって、各端末は、パイロット信号を用いて伝送路推定を行い、さらに求めた伝送路推定値から各サブバンドの品質（ここでは受信電力）を求める。
【００７６】
図１１は、各端末によって求められた各サブバンドの受信電力の一例を示す。
【００７７】
端末ごとに、各サブバンドの受信電力値が示される。基地局３５から各端末３１〜３３へと至る無線通信経路が異なることから、３台の端末の伝送路推定値は異なるものとなる。
【００７８】
端末は、得られた各サブバンドの受信電力値を各々のCQIに記述し、各CQIに優先順位を設定し、優先順位の高い順にフィードバックする。ここで上りリンクのフレームフォーマットの一例を図１２に示す。このフレームフォーマットは、CQI個数情報と、フィードバックするCQI個数分のCQIフィールドと、データフィールドとを有する。１サブフレームは７シンボルである。CQIフィールド数が少ないほど、データフィールドを大きくできる。端末は、受信電力が大きいサブバンドのCQIほど、高い優先順位を付与し、先にフィードバックする。優先順位の設定例を以下に示す。第ｘサブバンドに対応したCQIをCQIｘと記すとすると、図１３に示す上りリンクの信号の模式図のように、端末３１はCQI５、CQI４、CQI１３、CQI３、CQI６、CQI１２、CQI１０、CQI１１の順に、端末３２は、CQI４、CQI５、CQI３、CQI６、CQI７、CQI８、CQI９、CQI１５の順に、また端末３３は、CQI８、CQI７、CQI６、CQI１３、CQI１４、CQI１２、CQI９、CQI５、CQI１９、CQI１８、CQI１７、CQI１６の順に優先順位が付けられる。そして、各端末は第ｎフレームにて、全２０個のCQIのうち、上位４つのCQIを基地局へとフィードバックする。端末３１からはCQI５、CQI４、CQI１３、CQI３が、端末３２からはCQI４、CQI５、CQI３、CQI６が、そして端末３３からはCQI８、CQI７、CQI６、CQI１３がフィードバックされる。なお、図１３では上りリンクにおいて、第ｎサブフレーム〜第ｎ＋３サブフレームが示されている。
【００７９】
図１４は、基地局が、端末３１〜端末３３から第ｎサブフレームにおいてCQIを受信した後に行うスケジューリングの様子を示す。
【００８０】
まず、端末３１に対して、端末３１がフィードバックしたCQIのうち、最も回線品質の良いCQIに対応するサブバンドを割り当てる。受信電力に基づくラウンドロビンスケジューリングでは、受信電力が大きいほど回線品質が良いと判断されることから、まず端末３１に対してCQI５に対応するサブバンド５が割り当てられる。続いて端末３２、及び端末３３に対して同様の処理が行われ、それぞれサブバンド４、サブバンド８が割り当てられる。
【００８１】
次に各端末はまだ所望のサブバンド個数である４個を獲得できていないため、２周目の割り当てが行なわれる。方法は１周目と同様だが、端末３１にとって２番目に通信品質の良いサブバンド４は既に端末３２へ割り当てられていることから、３番目に通信品質の良いサブバンド１３が割り当てられる。端末３２も同様にしてサブバンド３が割り当てられる。端末３３へは競合が無くサブバンド７が割り当てられる。
【００８２】
まだいずれの端末も所望のサブバンド個数へ達していないことから、３周目の割り当てが行なわれる。しかし端末３１にとってサブバンド３は既に端末３２へと割り当て済みなため、フィードバックしたCQIの範囲内では獲得できるサブバンドが無い。従って、端末３１にはこれ以上サブバンドが割り当てられず、ｎ＋１サブフレーム以降も継続してスケジューリングを受けることとなる。端末３２はサブバンド６を獲得できるが、所望の４個を得られていないため、やはりｎ＋１サブフレーム以降も継続してスケジューリングを受けることとなる。端末３３も端末３１と同様にｎ＋１サブフレーム以降も継続してスケジューリングを受けることとなる。
【００８３】
続く第ｎ＋１サブフレームにおいて、まだフィードバックされていない新たな上位４つのCQIが各端末からフィードバックされる。そして同様のスケジューリングを行なうと、１周目で端末３２にサブバンド９が割り当てられ、この時点で、端末３２は、４つ目のサブバンドを獲得する。すなわち、この時点で、端末３２の割り当ては確定となる。よって端末３２は、以降の割り当て作業から外される。また、端末３１も２周目のスケジューリングにおいて４つ目のサブバンドを獲得し、この時点で、端末３１の割当ては確定となる。一方、端末３３は、第ｎ＋１サブフレームでフィードバックしたCQIの範囲内では、割当てが確定しないため、第ｎ＋２サブフレームも続けてスケジューリングを受けることとなる。ここで、第ｎ＋１サブフレームにてスケジューリングが確定した端末３１と端末３２は、これ以上CQIをフィードバックする必要が無いことから、基地局は、端末３１と端末３２に対してCQI送信休止命令を送信する。
【００８４】
続く第ｎ＋２サブフレームにおいて端末３３からさらに４つのCQIがフィードバックされる。１周目で端末３３にサブバンド１９が割り当てられ、この時点で、端末３３は、４つ目のサブバンドを獲得し、端末３３の割り当ても確定する。よって基地局は、端末３３に対してCQI送信休止命令を送信する。
【００８５】
（第３の実施の形態）
本実施の形態では、CQIの生成方法の一例を説明する。
【００８６】
図１５の下段は、端末から基地局にフィードバックするCQIを示す。図１５の上段は、端末において求められた各サブバンドの受信電力値を示す。端末は受信電力の大きい順に優先度を設定するとする。４つのCQIを同時にフィードバック可能な場合、最初にフィードバックされるCQIはCQI5、CQI4、CQI13、CQI3となる。これらのCQIは、優先度の高い上位４個（Y個）の周波数チャネルのCQIに相当する。
【００８７】
次にフィードバックされるCQIは、複数のサブバンド（X個の周波数チャネル）の通信品質を平均化したものとする。例えば、2回目にフィードバックされる各CQIは、２つのサブバンドの通信品質を平均化した平均通信品質を含むものとする。この結果、2回目のフィードバックでは、計８（＝２×４）サブバンド分の通信品質をフィードバックすることができる。つまり１つのCQIによって２つのサブバンドの通信品質をまとめてフィードバックすことができる。以下さらに具体的に説明する。
【００８８】
２つのサブバンドSBx1、SBx2の平均通信品質を記載したCQIをCQIave(SBx1,SBx2)と記すものとすると、２回目にフィードバックされるCQIは、CQIave(6,7)、CQIave(11,12)、CQIave(9,10)、及びCQIave(1,2)となる。ここで選択された8つのサブバンドについては、まず1回目のフィードバックにて送られた４つのサブバンドを除き、回線品質の良好な４サブバンドを選択し、さらに各々のサブバンドに隣接するサブバンドを選択するものとした。このとき、重複が生じて、計８サブバンドに達しない場合は、不足を補うよう他のサブバンドを選択するものとする。但し選択方法は上記に限定されるものではなく、１回目にフィードバックされた４つのサブバンドを除き、通信品質の高い上位８個のサブバンドを選択してもよいし、その他の方法であってもよい。３回目のフィードバック以降も同様に平均化されたCQIをフィードバックする。平均化数は２個のままでもよいし、増してもよい。
【００８９】
以上のように本実施の形態によれば少ないデータ量で多くのサブバンドの通信品質を基地局に通知できる。すなわち、２回目以降に通信品質がフィードバックされるサブバンドは、１回目に通信品質がフィードバックされるサブバンドに比べ通信品質が劣悪な状態にあり、端末の所望度は比較的低いといえる。そこで、２回目以降のフィードバックでは、CQIの精度は多少犠牲としつつも、複数のサブバンドの通信品質を平均化し、平均化した通信品質を基地局に通知する。これにより、効率的なスケジューリングおよび上りリンクの使用効率の向上を図ることができる。
【００９０】
（第４の実施の形態）
本実施の形態では、CQIに対する優先度の設定方法の一例を説明する。
【００９１】
基地局においてスケジューリングを行い、各端末に対するサブバンドを変更することは基地局および端末にとって手間の掛かる処理となり、できるだけサブバンドを変更しないことが望ましい。サブバンドを変更しなければ、例えば端末に割り当てたサブバンドを基地局から端末に通知するのに少ないビット数で済み、また端末では受信機の再設定（フィルタの設定など）を行わなくすむ。したがって、極力割り当ての変更を避け、端末に一番最近に割り当てたのと同じサブバンド（例えば現在使用中のサブバンド）を端末へ割り当てることが好ましい。そこで端末における優先度設定部は、一番最近割り当てられたサブバンドのCQIに一番高い優先度を設定する。例えば現在使用中のサブバンドのCQIに対して最も高い優先度を設定する。この結果、基地局は、同サブバンドを再度、端末へ割り当てやすくなり、スケジューリング処理を簡素化できる。
【００９２】
（第５の実施の形態）
本実施の形態では、基地局におけるスケジューリングの一例を説明する。
【００９３】
１つのサブバンドに対して複数の端末がCQIをフィードバックした場合、当該サブバンドを唯一の端末にのみ割り当てるようにスケジューリングをしなければならない。その他の端末は、他のサブバンドへ割り当てられなければならない。そこで本実施の形態では、その他の端末に割り当てるサブバンドは、該端末がフィードバックしたCQIに対応するサブバンドと周波数軸上の距離ができるだけ近いサブバンドとする。
【００９４】
通常、端末がフィードバックしたCQIに対応するサブバンドと、このサブバンドに周波数軸上隣接するサブバンドとは、通信品質が似通っていると予測できる。そこで、競合が発生して、端末がフィードバックしたCQIに対応するサブバンドを割り当てることができない場合には、該端末へは、周波数軸上において隣接するサブバンドを割り当てるものとする。この隣接するサブバンドは、周波数軸上において上記競合が発生した周波数チャネルに最も近い空きの周波数チャネルの一例である。つまり、必ずしも隣である必要は無く、伝送路の周波数特性上、変化が少ないと見なせる範囲であれば、離れた周波数のサブバンドでもよい。
【００９５】
また、上記競合とは、必ずしも複数の端末が同一のサブバンドに対するCQIを同時に（すなわち同じサブフレームで）フィードバックした場合に限られない。例えば、複数の端末が異なる時刻（すなわち異なるサブフレーム）でCQIをフィードバックする場合、既に基地局がある端末へ割り当てたサブバンドであるにも関わらず、該サブバンドに対応するCQIを他の端末がフィードバックする場合も有り得る。この場合も、該他の端末に割り当てるサブバンドを、上記のような周波数軸上近接するサブバンドへ振り替える処理を行なってもよい。
【００９６】
以上のように本実施の形態により、同一サブバンドへ複数の端末が競合した場合でも割り当てが可能となるため、追加のCQIの送信を抑えることができる。
【００９７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００９８】
【図１】本発明に係る無線通信システムの一実施の形態の構成を示す模式図。
【図２】下りリンクの周波数利用形態を示す図。
【図３】上りリンクの周波数利用形態を示す図。
【図４】本発明に係る基地局の一実施の形態の構成を示すブロック図。
【図５】CQI信号の構成を示す図。
【図６】本発明に係る端末の一実施の形態の構成を示すブロック図。
【図７】図１の無線通信システムのシーケンスチャート。
【図８】基地局による動作の流れを示すフローチャート。
【図９】端末による動作の流れを示すフローチャート。
【図１０】下りリンクの信号配置の一例を示す図。
【図１１】各端末が推定する伝送路の状態を示す図。
【図１２】上りリンクのフレームフォーマットの例を示す図。
【図１３】上りリンクの信号配置の一例を示す図。
【図１４】基地局が設定したサブバンドの割り当ての結果を示す図。
【図１５】端末がフィードバックする通信品質情報の一例を示した図。
【符号の説明】
【００９９】
３１、３２、３３、３４：端末
３５：基地局
１０１：送信データ生成部
１０２：サブキャリアマッピング部
１０３：逆FFT部
１０４：DA変換部
１０５：送信アナログ部
１０６：基地局送信アンテナ
１０７：基地局受信アンテナ
１０８：フィードバック情報受信部
１０９：スケジューリング部
１１０：CQI送信休止命令生成部
２０１：端末受信アンテナ
２０２：受信アナログ部
２０３：AD変換部
２０４：FFT部
２０５：サブキャリアデマッピング部
２０６：伝送路推定部
２０７：受信データ再生部
２０８：サブバンド品質測定部
２０９：CQI生成部
２１０：優先度決定部
２１１：フィードバック情報送信部
２１２：フィードバック制御部
２１３：端末送信アンテナ
【図１】
2007274159.tif 000003
【図２】
2007274159.tif 000004
【図３】
2007274159.tif 000005
【図４】
2007274159.tif 000006
【図５】
2007274159.tif 000007
【図６】
2007274159.tif 000008
【図７】
2007274159.tif 000009
【図８】
2007274159.tif 000010
【図９】
2007274159.tif 000011
【図１０】
2007274159.tif 000012
【図１１】
2007274159.tif 000013
【図１２】
2007274159.tif 000014
【図１３】
2007274159.tif 000015
【図１４】
2007274159.tif 000016
【図１５】
2007274159.tif 000017